【事件の表示】
　特願２００２−２９２６１８「採血管に真空を形成するための排気装置」拒絶査定不服審判事件〔平成１５年　５月１３日出願公開、特開２００３−１３５４３６〕について、次のとおり審決する。
【結　論】
　本件審判の請求は、成り立たない。
【理　由】
第１　手続の経緯・本願発明
　本願は、平成１４年１０月４日（パリ条約による優先権主張　平成１３年１０月６日　ドイツ（ＤＥ））にされた特許出願（２００２年特許願第２９２６１８号。以下「本件出願」という。）であって、平成１９年５月２９日付けで、拒絶査定（発送日：同６月７日）がなされたところ、拒絶査定不服審判が同年８月３０日に請求されるとともに同日付けで手続補正書が提出されたものであって、当審で、平成２１年１０月１９日付けで拒絶の理由を通知したところ、請求人から意見書及び手続補正書が平成２２年４月２１日に提出されたものである。
　本件出願の請求項１に係る発明は、平成２２年４月２１日提出の手続補正書により補正された特許請求の範囲の記載からみて、その特許請求の範囲の請求項１に記載された事項により特定されるとおりのものであって、その請求項１に係る発明（以下、「本願発明」という。）は次のとおりのものと認める。
【請求項１】「採血管（５）に真空を形成するための排気装置（１；１００）であって、装置ケーシング（２）に、管路（１２）を介して接続された吸込針（１０）を備えた真空ポンプ（１３）が設けられており、該吸込針（１０）が、採血管（５）を受容導入部（６；１０６）に差し込む際に管ダイヤフラム（１１）を貫通するようになっており、真空ポンプ（１３）と回路技術的に接続された圧力測定装置が設けられており、
　受容導入部（６；１０６）が、装置ケーシング（２）内を可動に形成されており、受容導入部（６；１０６）が、排気過程の終了後において、採血管（５）の取り出し中または取り出し後に、力（Ｆ）によって出発位置に戻されるようになっている形式のものにおいて、
　受容導入部（６；１０６）が、外側端部から内側端部にかけて高くなり、採血管（５）の底部にプレパレート（８）が残留するように採血管（５）を収容する傾斜姿勢で、装置ケーシング（２）内に形成されていることを特徴とする、採血管に真空を形成するための排気装置。」
　　　　　　　
第２　当審の拒絶理由 
　一方、当審において平成２１年１０月１９日付けで通知した拒絶の理由の概要は、本件出願の請求項１に係る発明は、本件出願の優先権主張日より前に頒布された、特開平６−１１４０４０号公報（以下、「引用刊行物Ａ」という。）に記載された発明、特開昭５５−１２５８４９号公報（以下、「引用刊行物Ｂ」という。）に記載された発明及び周知例の特開平９−６９３１２号公報（以下、「引用刊行物Ｃ」という。）に記載された事項に基づいて当業者が容易に発明をすることできたものであるから、特許法第２９条第２項の規定により特許を受けることができない、というものである。
　　 
第３　引用刊行物記載の発明
（３Ａ）上記引用刊行物Ａには、次の事項が図面とともに記載されている。（下線は当審で付与したものである。以下、同様である）
　　
(３Ａ−１)「【特許請求の範囲】
【請求項１】常圧の採血容器と減圧装置から構成され、採血容器のゴム蓋を減圧装置の針を刺して採血容器内の空気を吸い出し、採血容器の試験管内を瞬間的に真空状態にすることを特徴とする採血容器の減圧法とその装置。」
　　
（３Ａ−２）「【０００１】
【産業上の利用分野】本発明は採血容器の減圧方法および装置に関し、特に採血前の常圧、
非真空状態にある採血容器を即時に減圧して真空状態にしてから採血を行う
装置
　　　　　
(３Ａ−３)「【０００６】
【実施例】実施例に関しては、図を参照しながら説明する。まず図３〜図５に示されるように本発明においては常圧の採血容器３０と減圧装置４０から構成される。図４、図５に示されるように、そのうち
採血容器３０は
試験管３１
ゴム蓋３２から成る
【０００７】図３、図４に示されるように、
減圧装置４０は圧力スイッチ４２、真空ポンプ４３を装着した真空体４１、滑りスリーブ４４、針４５、第一スリーブ４６、第二スリーブ４７、第三スリーブ４８、スリーブキャップ４９から構成される
圧力スイッチ４２が真空ポンプ４３をコントロールすることにより真空チャンバ４１２を低圧、すなわち真空状態に保つ
【０００８】滑りスリーブ４４の前端には針止め４４１を設け、針止め４４１の後部に多数のネジ山４４２を、さらにその後ろに突出リング部４４３を設ける。突出リング部４４３の径は縦みぞ４１１２の径よりも小さく、その形状は、縦みぞ４１１２の内側面に対応する。突出リング部４４３の後部が延びて管体４４４を形成し、滑りスリーブ４４内部にはＬ型通気孔４４５を設ける。Ｌ型通気孔４４５の一方の開口４４５１は針止め４４１の端まで通じ、もう一方の開口４４５２は管体４４４の外側面に通じる。管体４４４の開口４４５２の前後の側面には真空体４１の横みぞ４１１１内側面の形状に対応したパッキン４４６１、４４６２、４４６３、４４６４を設ける。滑りスリーブ４４のＬ型通気孔４４５は、管体４４４外側面に設けたその開口４４５２から突出リング部４４３の底面までの距離が、真空体４１の横みぞ４１１１の通気孔４１２１から縦みぞ４１１２の下までの距離よりも大きくなるように設ける。
【０００９】真空体４１の通気孔４１２１と横みぞ４１１１の底面４１１１ａの距離は、滑りスリーブ４４のＬ型通気孔４４５の開口４４５２と管体４４４の底面４４４１の間の距離に等しくなるように設ける。これにより滑りスリーブ４４の管体４４４の底面４４４１を真空体４１の横みぞ４１１１に挿入し、横みぞ４１１１の底面４１１１ａに接触した時、滑りスリーブ４４のＬ型通気孔４４５の開口４４５２は真空体４１の横みぞ４１１１側面の通気孔４１２１と対応し通じる位置となる。
【００１０】針４５は、先端の尖った中空の針チューブ４５１とニードルヘッド４５２から成る。従来の注射器と同様にニードルヘッド４５２は滑りスリーブ４４の針止め４４１上に簡単に装着できる。また第一スリーブ４６の内面には針収納みぞ４６１を設け、針収納みぞ４６１の後ろに針４５のニードルヘッド４５２がちょうど嵌め込める内径を持つヘットソケット４６２を設ける。ヘットソケット４６２の側面には多くのネジ山４６３を設け、一方第一スリーブ４６前部の外側面には凸リング状の頸部４６４を設ける。さらに、第二スリーブ４７の末端には第一スリーブ４６の頸部４６４を嵌め込める内径を有したみぞ穴４７１を設け、頸部４６４と凹部４７１の間にコイルバネ４６５を装着する。みぞ穴４７１の底面中央には貫通する針収納みぞ４７２を設ける。
【００１１】第三スリーブ４８の内部に貫通するＴ型みぞ４８１を設け、Ｔ型みぞ４８１の横みぞ４８１１の内径は滑りスリーブ４４の突出リング部４４３の外径より小さく、横みぞ４８１１の内径は、第二スリーブ４７の外径と等しいかそれより大きい。また、突出リング部４４３の外径はＴ型みぞ４８１の縦みぞ４８１２の内径より小さく、縦みぞ４８１２の内側面には多くのネジ山４８１３を設け、真空体４１の突出部に外側面に設けたネジ山４１３をねじ込むことができる。スリーブキャップ４９にはみぞ穴４９１を設け、みぞ穴４９１の内径は第二スリーブ４７の外径に等しいか、あるいは大きく、みぞ穴４９１の中央にはさらに第二スリーブ４７の外径より小さい内径の貫通穴４９２を設ける。このみぞ穴４９２の内径は採血容器３０の試験管３１の内径に等しいかあるいは大きく設けられる。スリーブキャップ４９のみぞ穴４９１の内側面に設けたネジ山４９３は、第三スリーブ４８の頸部４８２の外側面に設けたネジ山４８３と対応し、ねじ込みにより嵌め合わせることができる。
【００１２】組み立てる時は、針４５のニードルヘッド４５２を滑りスリーブ４４の針止め４４１に被せ、滑りスリーブ４４の管体４４４と突出リング部４４３は真空体４１のＴ型みぞ４８１内に装着する。滑りスリーブ４４の突出リング部４４３の内側にコイルバネ４１４を装着し、針止め４４１の針チューブ４５１は第一スリーブ４６の針収納みぞ４６１から突き出すように嵌め込む。第一スリーブ４６のヘットソケット４６２は滑りスリーブ４４のネジ山４４２とねじ込みにより固定し、第一スリーブ４６の頸部４６４および
コイルバネ４６５
【００１３】外力により第二スリーブ４７を圧するとき第二スリーブ４７のみぞ穴４７１と第一スリーブ４６の頸部４６４の間のコイルバネ４６５が縮み、第二スリーブ４７は第一スリーブ４６の方向に移動し、
針４５の針チューブ４５１
第三スリーブ４８の
ネジ山４８１３は真空体４１の
ネジ山４１３とねじ込みにより固定され
スリーブキャップ４９の
ネジ山４９３に第三スリーブ４８の
ネジ山４８３をねじ込みにより固定し
　　
(３Ａ−４)「【００１４】採血前には、図５に示されるように、まず試験管３１内が常圧である採血容器３０を減圧し真空にするが、方法は以下の通りである。一、まず
採血容器３０の試験管３１を
スリーブキャップ４９の貫通孔４９２に嵌め込む
前方向に軽く押して第二スリーブ４７を連動しコイルバネ４６５を圧縮し
針チューブ４５１の先端は、採血容器３０のゴム蓋３２の中央を貫通し
第二スリーブ４７に対する圧力は、コイルバネ４６５を経て第一スリーブ４６から滑りスリーブ４４に伝わり、滑りスリーブ４４の突出リング部４４３と真空体４１の縦みぞ４１１２間のコイルバネ４１４を圧縮し
通気孔４１２１と滑りスリーブ４４のＬ型通気孔４４５、針４５を通して採血容器３０の試験管３１内の空気を吸い出
試験管３１内を瞬時にして減圧し、真空状態を生じさせる
　　　　
（３Ａ−５）「【００１８】次に図９〜１０に示される
第三実施例の減圧装置９０について説明する。
【００１９】
減圧装置９０の真空体９１内には
真空チャンバ９１３
を設ける
【００２０】・・・
真空チャンバ９１３のもう一つの側面にはピストン圧力スイッチ９１５を設け、ピストン圧力スイッチ９１５はシリンダー９１５１、ピストン９１５２、コイルバネ９１５３、オフスイッチ９１５４（当審注：「オフスイッチイ９１５４」は「オフスイッチ９１５４」の誤記。）、オープンスイッチ９１５５（当審注：「オープンスイッチ９１５２」は「オープンスイッチ９１５５」の誤記。）から構成される
【００２１】真空チャンバ９１３内が真空状態であるとき、ピストン９１５２はシリンダー９１５１の外側の大気圧を受け、コイルバネ９１５３を圧縮し、シリンダー９１５１の内側に向かって位置を移動する。
この真空チャンバ９１３内が徐々に真空状態を解除し圧力を上げるとき、
ピストン棒９１５２ａ末端がオープンスイッチ９１５５に接触し、ピストンシリンダー９１４のモーター９１４３を駆動する。
高度の真空状態に達すると、
ピストン圧力スイッチ９１５のピストン９１５２は、シリンダー９１５１の外側の圧力によりコイルバネ９１５３を圧縮し、シリンダー９１５１内に移動し、ピストン９１５２外側のピストン棒９１５２ａの末端はシリンダー９１５１の内部へと移動する。このときオフスイッチ９１５４を圧し、ピストンシリンダー９１４のモーター９１４３は回転を停止する
　　　　
（３Ａ−６）「【図１１】 本発明の第二、第三実施例の減圧装置のモーターおよびスイッチの回路図である。」
　　
　上記（３Ａ−１）〜（３Ａ−６）の摘記事項を参照すると、上記引用刊行物Ａには、
「圧力スイッチ４２、真空ポンプ４３を装着した真空体４１、滑りスリーブ４４、針４５、第一スリーブ４６、第二スリーブ４７、第三スリーブ４８、スリーブキャップ４９から構成された減圧装置４０であって、
　スリーブキャップ４９と第三スリーブ４８、第三スリーブ４８と真空体４１はそれぞれネジで固定され、
　真空ポンプ４３を装着した真空体４１は、通気孔４１２１と滑りスリーブ４４のＬ型通気孔４４５、針４５を通して採血容器３０の試験管３１内の空気を吸い出し、
　採血容器３０の試験管３１をスリーブキャップ４９の貫通孔４９２に嵌め込み、前方向に軽く押すと、第二スリーブ４７を連動しコイルバネ４６５を圧縮し、第二スリーブ４７を第一スリーブ４６の方向に移動させ、針４５の針チューブ４５１の先端を、採血容器３０のゴム蓋３２に貫通させるとともに、
　第二スリーブ４７の圧力は、コイルバネ４６５を経て、第一スリーブ４６から滑りスリーブ４４に伝わり、滑りスリーブ４４の突出リング部４４３と真空体４１の縦みぞ４１１２間のコイルバネ４１４を圧縮して、滑りスリーブ４４のＬ型通気孔４４５の開口４４５２と真空体４１の通気孔４１２１が相通じることにより、真空ポンプ４３を装着した真空体４１は、通気孔４１２１と滑りスリーブ４４のＬ型通気孔４４５、針４５を通して採血容器３０の試験管３１内の空気を吸い出し、
　試験管３１内を瞬時にして減圧し、真空状態を生じさせ減圧装置。」
　の発明（以下、「引用発明」という。）が記載されているものと認められる。
　　　　　　　
（３Ｂ）上記引用刊行物Ｂには、次の事項が図面とともに記載されている。
　　　　　　　　　
（３Ｂ−１）「本発明は、採血装置に関する。」（第２頁左下欄７行）
　
（３Ｂ−２）「時間的に使用の寸前、すなわち例えば１日分の需要に対して当日の開始前または採血装置の使用の直前に、既に前以て密封された
血液試料管２の中に真空を発生する
血液試料管２を簡単な真空化装置
導管２１
　　　
上記引用刊行物Ｃには、次の事項が図面とともに記載されている。
　　　　　　　
（３Ｃ−１）「【０００１】
【発明の属する技術分野】本発明は、血液や尿等の生体から採取された試料中の被測定物質を測定する、免疫測定等の測定分野に属し、試料中の被測定物質を簡易かつ迅速に測定することができる医療用途に適した簡易測定装置に関する。」
　　　　　
（３Ｃ−２）「【００１１】図１に示されるように、本発明の簡易測定装置１０は、基本的に、装置本体１２と、液体試料を収容する試料管１４と、試料管１４中の液体試料に存在する被測定物質（分析対象物）の量に応じた信号を出力する分析チップ１６とから構成される。また、試料管１４と分析チップ１６は、共に装置本体１２に着脱可能に構成される。
【００１２】 試料管１４は、液体試料が収容される容器である。・・・」
　　　　　　　　　　
（３Ｃ−３）「【００１５】前述のように、試料管１４は、このような液体試料を収容（採取）するものであって、図示例においては、試料管本体１８と蓋体１９とから構成され、
測定の際には、蓋体１９を下方（図示例においては斜め下方）にして装置本体１２に装着される
【００１６】・・・さらに、
試料管１４として減圧採血管を用いる場合には、必要に応じて、中に血液凝固阻止剤もしくは血液凝固促進剤、血球分離剤、酵素阻害剤等を入れておくのも好ましい
【００１７】分析チップ１６は、試料管１４に収容された液体試料中の被測定物質量に応じた信号を出力するものであって、基本的に、チップ本体２０と、連結手段２２と、分析部２４とから構成される。
【００１８】 図示例において、チップ本体２０には、連結手段２２および分析部２４が形成されている。 連結手段２２は、導入管２６、エア抜き管２８、およびエア抜き管２８に連通する通気口３０から形成され、試料管１４中の液体試料を分析部２４に導入させる。導入管２６は、毛細管作用によって液体試料を試料管１４から分析部２４に導くキャピラリー部である。導入管２６の毛細管作用を増強するために、その内面を界面活性剤、両親媒性化合物等で処理あるいはコーティングすることも好ましい。一方、エア抜き管２８および通気口３０は、導入管２６によって試料管１４から液体試料を採取する際のエア抜きであって、毛細管作用の認められない広い間隙として通気口３０が形成されているために、液体試料はこのエア抜き管２８から通気口３０に向かう方向への流出（逆流）はできない。すなわち、エア抜き管２８は導入管２６と同様に内径０．２〜１．０mm程度に相当するキャピラリー部であり、通気口３０は内径２mm程度以上に相当する広い間隙である。ただし、その最適なサイズは液体試料の物理的性状（粘度、含有粒子サイズ等）によって変動する。通気口３０あるいはエア抜き管２８からの液体試料の逆流を防止するために、その内面にシリコンコート等の撥水性コーティングを施してもよい。
【００１９】導入管２６およびエア抜き管２８の先端は、共にチップ本体２０から図中横方向（具体的には、後述する分析チップ１６の挿入方向と平行）に突出しており、かつ先端が鋭利な形状を有し、後述する装置本体１２の試料管挿入口１２ａに挿入保持されている試料管１４の蓋体１９を容易に穿孔、貫通できるように構成される。従って、分析チップ１６を装置本体１２のチップ挿入部１２ｃに挿入して装着すると、図２（ｂ）および図２（ｃ）に示されるように、あらかじめ装置本体１２に装着されている試料管１４の蓋体１９を、導入管２６およびエア抜き管２８の先端が穿孔、貫通し、試料管１４の内部が減圧されている場合には、エア抜き管２８あるいは導入管２６から外気が吸引されて試料管１４内部に気泡が発生し、その結果、試料管内圧は外気圧と等しくなる。次いで、毛細管作用によって導入管２６に液体試料が浸透し、キャピラリーで連通している分析部２４へと液体試料が導かれる。ここで、分析部２４は、キャピラリーあるいはろ紙などの多孔性の材質で構成された毛細管作用の強い部分であるため（流路を有するため）、導入管２６と分析部２４とが連結（接触）していることにより、液体試料は分析部２４をさらに浸透し、所定の分析部の反応が進行して液体試料中の被測定物質量に応じた信号を出力する。導入管２６および分析部２４への液体試料の浸透に伴い、入れ替わりにエア抜き管２８から外気が吸引され、試料管１４内部に気泡として入ることにより試料管１４内部圧を調整して液体試料の導入管２６および分析部２４への浸透を助ける。」
　　　　　　　　　　
（３Ｃ−４）「【００４４】図５および図６に示される簡易測定装置７６は、装置本体７８の上方から試料管１４を装着する構成を有するものであって、従って、円柱状の試料管挿入口７８ａが装置本体７８の上面を貫通して形成されている。また、分析チップ８０のチップ本体８２の上部中心にも、試料管挿入口７８ａに対応する保持孔８０ａが形成され、連結手段２２はこの保持孔８０ａの中心で上方に向かって突出して形成されている。
【００４５】この簡易測定装置７６においては、先ず、図５〜図６（ｂ）に示されるように、分析チップ８０を装置本体７８のチップ挿入部７８ａに装着する。また、これにより、分析チップ８０の電極基板６０がチップ挿入部７８ａの溝７８ｄに挿入され、両者が電気的に接続される。次いで、図６（ｂ）〜（ｃ）に示されるように、
試料管１４を蓋体１９を下方にして
　　
第４　本願発明と引用発明との対比・判断 
（４−１ａ）対比 
（i）引用発明の「減圧装置４０」は、採血容器３０の試験管３１内を瞬時にして減圧し、真空状態を生じさせる装置であるから、本願発明の「採血管に真空を形成するための排気装置（１；１００）」に相当する。
（ii）引用発明の「針４５」、及び「真空ポンプ４３」がそれぞれ本願発明の「吸込針（１０）」、及び「真空ポンプ（１３）」に相当する。
　さらに、引用発明の第三スリーブ４８と真空ポンプ４３を装着した真空体４１はそれぞれネジで固定されていることから、引用発明の「第三スリーブ４８」が本願発明の「装置ケーシング（２）」に相当する。
　そして、上記引用刊行物Ａの摘記事項（Ａ−３）には「滑りスリーブ４４を真空体４１のＴ型みぞ穴４１１内に固定する。」ことが記載されており、さらに引用発明の真空ポンプ４３を装着した真空体４１は、通気孔４１２１と滑りスリーブ４４のＬ型通気孔４４５、針４５を通して採血容器３０の試験管３１内の空気を吸い出していることから、引用発明の「スリーブ４４のＬ型通気孔４４５」と本願発明の「管路（１２）」とは、「通路」ある点で共通する。
　そうすると、引用発明の「第三スリーブ４８」が本願発明の「装置ケーシング（２）」とは「通路を介して接続された吸込針を備えた真空ポンプ（１３）が設けられて」いる点で共通する。
（iii）引用発明の「採血容器３０のゴム蓋３２」は本願発明の「管ダイヤフラム（１１）」に相当する。
　また、本件出願の明細書の段落【００１３】には、「【００１３】図３および図４に示された、別の排気装置１００の実施例（図１および図２と同じ構成部材には同じ符号が付されている）では、前述の実施例との違いとして、単に受容導入部１０６の漏斗状導入部１７ａとセンタリング受容部１７ｂとが２つの構成部材である点が挙げられる。この実施例では、漏斗状導入部１７ａは、運動性能なしに装置ケーシング２に堅固に配置されており、運動距離Ｙが装置内側に変位されている。したがって先の装置構成とは異なって、ここでは漏斗状導入部１７ａの、同時にストッパとして作用する管片１５に沿って案内された、受容導入部１０６の漏斗底部を形成するセンタリング受容部１７ｂしか、採血管５の挿入に基づいて（図３の出発位置参照）力Ｆに抗して移動されず、このことは、図４に基づく作動状態のポンプ機構を有する吸込位置から判る。」と記載されていることから、引用発明の「スリーブキャップ４９」及び「第二スリーブ４７」が、本願発明の２つの構成部材で形成された「受容導入部（１０６）」に相当する。
　そして、引用発明では、採血容器３０の試験管３１をスリーブキャップ４９の貫通孔４９２に嵌め込み、前方向に軽く押すと、第二スリーブ４７を連動しコイルバネ４６５を圧縮し、第二スリーブ４７を第一スリーブ４６の方向に移動させ、針４５の針チューブ４５１の先端を、採血容器３０のゴム蓋３２に貫通させていることから、引用発明の減圧装置は本願発明の排気装置と同様に「吸込針（１０）が、採血管（５）を受容導入部（１０６）に差し込む際に管ダイヤフラム（１１）を貫通するようになって」いることは明らかである。
（iv）上記引用刊行物Ａの摘記事項（Ａ−３）には「【０００７】図３、図４に示されるように、減圧装置４０は圧力スイッチ４２、真空ポンプ４３を装着した真空体４１、滑りスリーブ４４、針４５、第一スリーブ４６、第二スリーブ４７、第三スリーブ４８、スリーブキャップ４９から構成される。そのうち真空体４１内にはＴ型みぞ穴４１１と真空チャンバ４１２を設ける。真空チャンバ４１２は圧力スイッチ４２および真空ポンプ４３と接合し、圧力スイッチ４２が真空ポンプ４３をコントロールすることにより真空チャンバ４１２を低圧、すなわち真空状態に保つ。」ことが記載されており、この記載によれば、引用発明の「圧力スイッチ４２」は、真空ポンプ４３をコントロールすることにより真空チャンバ４１２を低圧、すなわち真空状態に保つものであるから、圧力に応じて作動し、真空ポンプ４３の圧力をコントロール制御するスイッチ、すなわち、本願発明の「圧力測定装置」に相当する。
　他方、本願発明の「圧力測定装置」は、本件出願の明細書の発明の詳細な説明の段落【００１１】には「・・・電動モータ（図示せず）によって駆動される真空ポンプ１３と接続されており、この真空ポンプ１３は圧力監視され、次いで採血管５に所望の真空が存在する場合にスイッチオフされる。」ことが記載されていることから、本願発明の「圧力測定得装置」は真空ポンプを駆動するモータを制御していることから、真空ポンプの圧力を制御してことになる。
　よって、引用発明の「圧力スイッチ」と本願発明の「圧力測定装置」とは、「真空ポンプを制御する圧力測定装置が設けられて」いる点で共通する。
（v）上記引用刊行物Ａの摘記事項（Ａ−２）及び（Ａ−３）にはそれぞれ「【００１３】外力により第二スリーブ４７を圧するとき第二スリーブ４７のみぞ穴４７１と第一スリーブ４６の頸部４６４の間のコイルバネ４６５が縮み、第二スリーブ４７は第一スリーブ４６の方向に移動し、針４５の針チューブ４５１は第二スリーブ４７の針収納みぞから外れ、この外力による圧力が消失するとコイルバネ４６５は伸びて第二スリーブ４７をスリーブキャップ４９の方向へ移動させる。」こと，及び「【００１４】・・・まず採血容器３０の試験管３１をゴム蓋３２を有する開口３１１に嵌め込みさらに減圧装置４０のスリーブキャップ４９の貫通孔４９２に嵌め込む。それから前方向に軽く押して第二スリーブ４７を連動しコイルバネ４６５を圧縮し、第二スリーブ４７を第一スリーブ４６の方向に移動させる。」が記載されていることから、引用発明の減圧装置は本願発明の排気装置と同様に「受容導入部（６；１０６）が、装置ケーシング（２）内を可動に形成されており、受容導入部（６；１０６）が、排気過程の終了後において、採血管（５）の取り出し中または取り出し後に、力（Ｆ）によって出発位置に戻されるようになっている形式のもの」である。
（vi）引用発明の「減圧装置」は、採血容器３０の試験管３１内を瞬時にして減圧し、真空状態を生じさせていることから、本願発明の「排気装置」と同様に「採血管に真空を形成するための排気装置」である。
　　　　
　そうすると、本願発明と引用発明とは、
「採血管に真空を形成するための排気装置であって、
　装置ケーシングに、通路を介して接続された吸込針を備えた真空ポンプが設けられており、
　該吸込針が、採血管を受容導入部に差し込む際に管ダイヤフラムを貫通するようになっており、
　真空ポンプを制御する圧力測定装置が設けられており、
　受容導入部が、装置ケーシング内を可動に形成されており、受容導入部が、排気過程の終了後において、採血管の取り出し中または取り出し後に、力（Ｆ）によって出発位置に戻されるようになっている形式のものにおいて、
　採血管に真空を形成するための排気装置。」
　である点で一致し、次の相違点（あ）〜（う）で相違している。
　　　　　　
・相違点（あ）
　通路が、本願発明では、「管路（１２）」であるのに対して、引用発明ではスリーブ４４のＬ型通気孔４４５である点。
　　　
・相違点（い）
　真空ポンプを制御する圧力測定装置が、本願発明では、「真空ポンプと回路技術的に接続された圧力測定装置」であるのに対して、引用発明では、真空ポンプ４３をコントロールする圧力スイッチ４２である点。
　　
・相違点（う）
　本願発明の排気装置においては、「受容導入部（６；１０６）が、外側端部から内側端部にかけて高くなり、採血管（５）の底部にプレパレート（８）が残留するように採血管（５）を収容する傾斜姿勢で、装置ケーシング（２）内に形成されている」のに対して、引用発明の減圧装置においては、採血容器３０の試験管３１内にプレパレートを入れているか不明であり、さらに、採血容器３０の試験管３１がスリーブキャップ４９と第二スリーブ４７が傾斜姿勢で第三スリーブ４８に配置されているかどうか不明である点。
　
（４−１ｂ）当審の判断
　上記相違点（あ）〜相違点（う）について判断する。
・相違点（あ）について
　血液試料管を真空化装置で真空化する際に、導管を用いて真空化することは上記引用刊行物Ｂの摘記事項（Ｂ−２）に記載されているごとく周知であることから、引用発明においてスリーブ４４のＬ型通気孔４４５を導管、すなわち管路を用いることは当業者が容易になし得るものである。
　　　
・相違点（い）について
（い−１）上記引用刊行物Ａの摘記事項（３Ａ−５）及び（３Ａ−６）には、「【００１８】・・・第三実施例の減圧装置９０について説明する。減圧装置９０は、おもに真空体９１、・・・から構成される。・・・【００１９】減圧装置９０の真空体９１内には・・・真空チャンバ９１３・・・を設ける。・・・【００２０】・・・真空チャンバ９１３のもう一つの側面にはピストン圧力スイッチ９１５を設け、ピストン圧力スイッチ９１５はシリンダー９１５１、ピストン９１５２、コイルバネ９１５３、オフスイッチ９１５４、オープンスイッチ９１５５から構成される。・・・【００２１】・・・この真空チャンバ９１３内が徐々に真空状態を解除し圧力を上げるとき、・・・ピストン棒９１５２ａ末端がオープンスイッチ９１５５に接触し、ピストンシリンダー９１４のモーター９１４３を駆動する。・・・高度の真空状態に達すると、・・・ピストン圧力スイッチ９１５のピストン９１５２は、シリンダー９１５１の外側の圧力によりコイルバネ９１５３を圧縮し、シリンダー９１５１内に移動し、ピストン９１５２外側のピストン棒９１５２ａの末端はシリンダー９１５１の内部へと移動する。このときオフスイッチ９１５４を圧し、ピストンシリンダー９１４のモーター９１４３は回転を停止する。」こと、及び「 本発明の第二、第三実施例の減圧装置のモーターおよびスイッチの回路図である。」ことが記載されていることから、上記引用刊行物Ａの圧力スイッチ９１５のオフスイッチ９１５４、オープンスイッチ９１５５とは減圧装置の真空体９１の真空チャンバ９１３のモーター９１４３とは電気回路的に接続されていることは明らかである。
　他方、引用発明の圧力スイッチ４２も、真空チャンバ４１２内の真空状態を圧力として測定する圧力スイッチであり、この圧力スイッチ４２により真空ポンプ４３をコントロールするものであるから、引用発明の圧力スイッチ４２は、上記摘記事項（３Ａ−５）に記載された圧力スイッチ９１５のオフスイッチ９１５４、オープンスイッチ９１５５と同様に、真空ポンプと電気回路的に接続されていることは明らかである。
　そうすると、引用発明の真空ポンプ４３をコントロールする圧力スイッチは、本願発明と同様に「真空ポンプと回路技術的に接続された圧力測定装置」であるものと推認できるから、この相違点に実質的な差違は認められない。
　　
（い−２）仮に、上述のごとく推認ができないとしても、上記引用刊行物Ａの上記摘記事項（３Ａ−５）や、上記上記引用刊行物Ｂの摘記事項（３Ｂ−２）に記載されているごとく、採血容器内を減圧し、真空状態を生じさせ減圧装置において、真空ポンプと回路技術的に接続された圧力測定装置を設けることは周知であることから、引用発明の真空ポンプ４３をコントロールする圧力スイッチ４２を本願発明と同様に「真空ポンプと回路技術的に接続された圧力測定装置」にすることは当業者であれば容易になし得るものである。
　　　　　　　
・相違点（う）について
（う−１）上記引用刊行物Ｃの摘記事項（３Ｃ−３）の段落【００１６】には、減圧採血管に用いられる試料管内に血液凝固阻止剤もしくは血液凝固促進剤、血球分離剤、酵素阻害剤等を収容することが記載されており、さらに、これらの試料管に入れる材料に液状の材料が含まれることは、例えば、特開２００１−２４９１２７１号公報の７頁１２欄４〜６行、特開平８−２７１５０６号公報の３頁３欄７〜９行、特開平２−９５２６１号公報の３頁左上欄１４〜１６行に記載されているように、技術常識であることから、減圧採血管に液状の材料を入れることは当業者にとって周知（他に、例えば特開昭５７−１４５７号公報の２頁左下欄最終行〜右下欄２行の記載、又は、特開平２−１４４０４４号公報の２頁右下欄１４行〜３頁左上欄７行の記載参照）な技術事項である。
　そうすると、引用発明の減圧装置における採血容器３０の試験管３１では、減圧される試験管内には液状の材料が収容されていないが、上記のごとく、減圧された採血管内に液状の材料を収容することは周知であり、さらに、上記周知例の特開平２−１４４０４４号公報の２頁右下欄１４行〜３頁左上欄７行には採血管内に粘性粒体の血清又は血漿分離剤が収容された状態で、減圧することが記載されていることから、引用発明の減圧装置において、針４５を通して採血容器３０の試験管３１内を減圧し、真空状態を生じさせる際の試験管として、内部に液状の材料を収容した状態で、針４５を通して採血容器３０の試験管３１内を減圧することは当業者が容易になし得るものである。
　　
（う−２）ところで、引用発明において、内部に液状の材料を収容した状態で、針４５を通して採血容器３０の試験管３１内を減圧する際には、試験管３１内の空気のみを吸引し、試験管３１内の液状の材料は吸引しないようにして針４５から減圧する構成、すなわち、針４５は試験管３１内の空気のみと接触し、液状の材料とは接触しない構成を採用する必要があり、そのためには、針４５が試験管３１の開口部の蓋３２に貫通させて配置されていることから、試験管３１内の液状の試料は針４５が配置されている試験管の開口部とは一番離れた位置、すなわち試験管３１の底部にある状態に試験管３１を配置する構成を採用することが必要であることは明らかである。
　さらに、採血管に収容された液状の材料を採血管の開口部に設けた蓋を貫通する導入管を通して取り出す際、取り出す必要のない空気を管と接触させないように採血管の底部にある状態にするために、採血管を斜め又は開口部を下方に配置することは上記引用刊行物Ｃの摘記事項（３Ｃ−４）の段落【００１５】、摘記事項（３Ｃ−４）の段落【００１５】に記載されているように、技術常識である。そして、取り出すものと残すものの比重や状態に応じて管を傾ける向きは当然変えるべきものであることから、引用発明において、内部に液状の材料を収容した状態で、針４５を通して採血容器３０の試験管３１内を減圧する際に、試験管３１内の空気のみを吸引し、試験管３１の底部にある液状の材料は吸引しないようにして減圧するための試験管３１の配置として、試験管３１を下方から上方の方向へ移動させるか、又は下方から上方方向に傾斜させて移動させるかのいずれのかの方法を採用できるように、スリーブキャップ４９と第二スリーブ４７とを第三スリーブ４８に配置する構成を採用することは当業者であれば当然の設計的事項であり、本願発明のごとく、「受容導入部（６；１０６）が、外側端部から内側端部にかけて高くなり、採血管（５）の底部にプレパレート（８）が残留するように採血管（５）を収容する傾斜姿勢で、装置ケーシング（２）内に形成されている」構成を選択することは、液状の材料が内容物が予め収容されている試験管３１内を減圧する場合に取りうる、第三スリーブ４８に配置されるスリーブキャップ４９と第二スリーブ４７の構成のうちの１つを選択したにすぎないものである。
　　
　そして、本願発明によってもたらされる効果は、引用発明及び周知の技術事項から予測される範囲内のものであって、格別のものではない。
　したがって、本願発明は、引用発明及び周知の技術事項に基づいて当業者が容易に発明をすることができたものである。
　 　　　　　　 
第５　むすび
　以上のとおり、本願発明は、引用発明及び周知の技術事項に基づいて当業者が容易に発明をすることができたものであるから、特許法第２９条第２項の規定により特許を受けることができないものであり、当審が通知した上記拒絶の理由によって拒絶をすべきものである。
　よって、結論のとおり審決する。